(57)【要約】【課題】洋式便器において男性が立ったまま小用を足す場合、ことに高齢者や子どもは便器周辺の床を汚すことが多く、掃除をする人の手をわずらわせているので、この問題を解決する。【解決手段】従来型便器の両側に膝をつくための便台を設け、膝をついて低い姿勢で用を足し、さらにズボンを汚さないためのズボンガードをつけることによって、ズボンや周囲を汚すことを皆無に近くした。【選択図】図１
2007209714.tif 000002
【特許請求の範囲】
【請求項１】
洋式便器において、従来型便器の両脇に台を設け、立っていることが苦痛な高齢男性でもそこに膝をついて、低い安定した体勢を保ちながら小用を足せるようにし、便座をあげると同時にズボンガードが上がってきて、ズボンを汚さない仕組みにしたことを特徴とする男性小用のための便台。
【発明の詳細な説明】
【技術分野】
【０００１】  本発明は、洋式便器における男性小用のための補助具に関する。
【背景技術】
【０００２】  従来の洋式便器の便座は、女性のためと男性の排便のためのものであって、男性の小用に配慮したものはない。【０００３】  従来の洋式便器においては、男性は立ったまま高い位置から放尿するので、ことに高齢者は尿を飛散させて便器および周辺を汚すことが多く、掃除する人の手をわずらわしている。これを解決するものとして、便器の両側に膝をつく装置（例えば特許文献１参照、特許文献２参照）などが開示されている。
【特許文献１】特開２００４−２６７６６９
【特許文献２】特開２００５−２５３７４８
【発明の開示】
【発明が解決しようとする課題】
【０００４】  前述の特許文献１、２は、便器の両側に膝をつく台を設けたことが特徴である。だが、通常男性が排尿をするとき、ズボンの前あき（持ち出しと見返し）を開いて抑え、ペニスを支えるのに片手または両手を必要とする。膝をついて身を低くした場合、両側のズボン下部はだぶついて内側にふくらむので、特に厚着をする冬など、そうでなくても尿を飛散させることの多い高齢者や子どもがズボンを汚す危険性は大で、実用には適さない。本発明は以上の問題を解決しようとするものであり、尿の飛散やズボンを汚すことを防ぐことを目的とするものである。
【課題を解決するための手段】
【０００５】        以上に述べたとおり、洋式便器において、男性が小用を足す時周辺を汚しやす原因は、ひとえに高い位置からの放尿という習慣にあり、本発明はこれを解決するために、便座の両脇に台を設け、男性がそこに膝をついて、立っていることが苦痛な高齢男性でもふらつかない、低い安定した体勢を保ちながら小用を足せるようにした。さらに、便座をあげると同時にズボンガードが上がって、ズボンを汚さない仕組みにしたことを特徴とする男性小用のための便台で、便器周辺やズボンを汚す危険性を極力軽減するものである。ズボンガードは、便座をおろせばその下にかくれるので、女性に不快をあたえることはない。
【発明の効果】
【０００６】  従来の洋式便器は、男性が立ったままの姿勢で放尿するため、狙いが定まりにくく、殊に立っていること自体が苦痛な、あるいは不安定な高齢者が周辺を汚すことが多いが、膝をつくことによって体勢も安定し、低い位置からの放尿、さらにステンレス針金やプラスティック板等を素材とするズボンガードによって、ズボンや周囲の床を汚すことも皆無に近くなる。
【発明を実施するための最良の形態】  以下、本発明の実施の形態を図１〜図１０に基づいて説明する。【０００７】  図１は、本発明の全容を示す斜視図である。１は左右一対のアーチ状の便台で、１２のパイプでつながれ、１２は１３のアジャスターで、便器の幅に応じて調節して止める。１１は便器の奥行きに応じて長さを調節するアジャスター。５は壁面に固定させるためのビス穴、６は床に固定させるビス穴で、現場の状況に応じてどちらかを使用する。２と３がズボンガードである。２はステンレス製の針金かプラスティック製品で、２個のビス穴（４）で１に取り付ける（詳細は図１０参照）。３（斜線の部分）は透明または白色など汚れが目立つ色の薄いプラスティック板で、２と組み合わせて使用するが、汚れた場合ははずして洗える作りにする。１４はクッションで、ここに膝をつき、ズボンの前あき部分の下を２に押しつけて排尿すれば、ズボンは尿の飛散を免れる。
図２は本発明を洋式便器にとりつけた斜視図である。７は便蓋、８は便座、９は便器であり、便座をおろせばズボンガードは便座に抑えられてその下にかくれる（図８・図１０参照）。
図３は便器に本発明をとりつけた側面図である。１が便台、２と３がズボンガード。２は急所を打っては危険なので適度の弾性があるものとし、スプリング（図４の１０参照）があるので、使用する各自の足の長さにあわせて高低自在になる。７が便蓋、８が便座、９が便器である。
図４は、図３の便座（８）をおろした場合の図で、１０のスプリングが伸びて、ズボンガード（２、３）は便座の下にかくれるので、女性に不便をもたらすことはない。１０も強烈なバネでは危険であり、便座をあげればやっと上がってくる程度の強度とし、どの高さでも前方に押しつけることによって使用できるので、幼稚園児でも長身の大人でも楽に排尿の姿勢をとることができる。
図５は、便座（８）をあげた場合の手前から見た正面図である。１は便台。２をズボンの前あき部分の下にあてがって前方へ押しつけながら排尿すれば、３がズボンをガードするので、尿の飛散を防ぐことができる。体勢を低くして便器との距離は便座に腰掛けた場合にぐっと近くなるので、よほどの場合を除いて３を濡らすことはないが、汚しても３を取り外して洗える。念のため、認知症のお年寄りなどのために、汚しやすい場合は水洗に流し、簡単に新しいものをとりつけられるよう、オプションとして、トイレットペーパーと同質の専用ズボンガードカバーを用意する。
図６は便座（８）をおろした場合の正面図である。２と３は完全に便座の下にかくれる。
図７は便座（図では省略）を上げた場合の上から見た平面図である。１が便台、２がズボンガード（はっきりさせるため、一点鎖線とした）。９は便器の縁の線のみを示した。４はズボンガードと便台を組み合わせるための金具（図９参照）
図８は図７の便座をおろした場合の図。便台（１）を除けば外見は従来の便器と何ら変わらない。通常ここに腰かける場合、足は１の部分より前にあるのだから、邪魔にはならない。
図９は便座（８）をあげた場合の便台（１）とズボンガード（２）の接合部分のみを拡大して内側から見た側面図である。２は２箇所の４のみで１とつながっている。
図１０は図９の便座（８）をおろした場合の側面図である。１０のスプリングが伸びて、２は完全に便座の縁の内側に押さえ込まれる。
【図面の簡単な説明】
【０００８】
【図１】本発明の全容を示す斜視図である。１は便台で、左右一対の多少弾性のあるステンレスかプラスティック製のアーチ型。２はズボンガードの縁。３は薄いプラスティック板のズボンガードで、２と組み合わせて使用するが、汚れた場合は３のみを取り外して洗える作り。４は便台とズボンガードをつなぐ金具。５は便台を壁面に固定するビス穴、６は便台を床に固定するビス穴で、５か６で、現場の状況に応じてどちらかで固定する。１１はトイレの奥行きにあわせて便台を設置するためのアジャスター。１２は一対の便台をつなぐパイプで、便器の幅に応じて１３のアジャスターで調節する。１４は１の便台につけたクッションで、ここに膝をついて２をズボンの前あき部分の下をあてがい、前方に押しつけるようにして排尿するのでズボンを濡らすことはない。
【図２】本発明を洋式便器にとりつけ、便座を上げ、男性が小用に使用する時の斜視図である。７は便蓋、８は便座、９は便器である。
【図３】洋式便器に本発明をとりつけ、便座をあげて男性が小用に使用する時の側面図である。１が便台、２と３がズボンガード、７が便蓋、８が便座、９が便器である。
【図４】図３の便座をおろした場合の図である。１０のスプリングが伸びて、２と３は便座（８）の下にかくれている。
【図５】１は便台、２と３はズボンガード。４はズボンガード（２）と便台をつなぐ金具。８は便座、９は便器である。
【図６】図５の便座（８）をおろした場合の図。ズボンガードは便座の下にかくれている。
【図７】便座（省略）をあげた場合の上から見た図。１は便台、２はズボンガードを一点鎖線で示した。９は便器の縁のみを示した線。
【図８】図７の便座をおろした場合の図。２の一点鎖線はズボンガード、８は便座、９の破線は便器の縁のみを示した。
【図９】便台（１）とズボンガード（２）の接合部分を説明するための図で、８が上げた時の便座、２がズボンガードの縁。４が１と２を接合する金具。
【図１０】図９の便座をおろした場合の図。２は便座（８）の下にかくれている。
【符号の説明】
【０００９】１    便台。
２    ズボンガードの縁で、ステンレスかプラスティック製。
３    ズボンガードの薄いプラスティック板で、２に取り付ける。
４    １と２を接合する金具。
５    便台を壁面に固定するためのビス穴。
６    便台を床に固定するためのビス穴。
７    便蓋。
８    便座。
９    便器。
１０  ズボンガードにとりつけるスプリング。
１１  便台を置く時のアジャスター。
１２  一対の便台をつなぐパイプ。
１３  １２の長さを調節するためのアジャスター。
１４  膝を置くためのクッション。
【図１】
2007209714.tif 000003
【図２】
2007209714.tif 000004
【図３】
2007209714.tif 000005
【図４】
2007209714.tif 000006
【図５】
2007209714.tif 000007
【図６】
2007209714.tif 000008
【図７】
2007209714.tif 000009
【図８】
2007209714.tif 000010
【図９】
2007209714.tif 000011
【図１０】
2007209714.tif 000012